(57)【特許請求の範囲】
【請求項１】
正立像を得るための一対のポロプリズム部と、眼幅を調整するための一対の眼幅調整プリズム部とを少なくとも備えるガリレオ型の実体顕微鏡用双眼鏡筒であって、
前記ポロプリズム部は、
入射面に垂直に光が入射される入射プリズムと、
出射面から垂直に光が出射される出射プリズムと、
前記入射プリズムと前記出射プリズムとの間の光路中に配置されている中間プリズムとを有し、
前記眼幅調整プリズム部は、
前記出射プリズムの出射光の光軸上に配置された第一眼幅調整プリズムと、
前記第一眼幅調整プリズムの出射光の光軸に対し入射面が垂直になるよう配置された第二眼幅調整プリズムと、を有し、
前記第一眼幅調整プリズムの出射光の光軸を回転軸として、前記第一眼幅調整プリズムと前記第二眼幅調整プリズムとが相対的に所定角度だけ回転して配置されることにより、輻輳角が０°とは異なる角度となるように形成されていることを特徴とするガリレオ型の実体顕微鏡用双眼鏡筒。
【請求項２】
所定の鏡筒傾斜角度を得られるように、前記入射プリズムは、前記入射プリズムの出射光の光軸を軸にして前記鏡筒傾斜角度に応じて回転させて配置され、さらに、前記出射プリズムは、前記出射プリズムへの入射光の光軸を軸にして前記入射プリズムの回転方向とは反対の方向に回転させて配置されていることを特徴とする請求項１に記載のガリレオ型の実体顕微鏡用双眼鏡筒。
【請求項３】
前記第一眼幅調整プリズムと前記第二眼幅調整プリズムとの相対的な回転に応じて生ずる像の回転を補正するように、前記入射プリズムと前記出射プリズムとの少なくとも一方のプリズムは、前記中間プリズムに対して回転した位置に設けられていることを特徴とする請求項１または２に記載のガリレオ型の実体顕微鏡用双眼鏡筒。
【請求項４】
前記第一眼幅調整プリズムと前記第二眼幅調整プリズムとは相対的に回転可能に構成され、
前記第一眼幅調整プリズムと前記第二眼幅調整プリズムとの少なくともいずれか一方のプリズムを回転させることで、前記輻輳角を所望の値に調整できることを特徴とする請求項１〜３のいずれか一項に記載のガリレオ型の実体顕微鏡用双眼鏡筒。
【請求項５】
前記第一眼幅調整プリズムと前記第二眼幅調整プリズムとの少なくともいずれか一方のプリズムの回転動作に応じて生ずる像の回転を補正するように、前記入射プリズムと前記出射プリズムとの少なくともいずれか一方のプリズムを前記回転動作に応じて連動して回転させる回転機構を有することを特徴とする請求項４に記載のガリレオ型の実体顕微鏡用双眼鏡筒。
【発明の詳細な説明】
【技術分野】
【０００１】
本発明は、光学的正立像の形成と、使用者の眼幅に対応する眼幅調整を可能とした輻輳角を有するガリレオ型の実体顕微鏡用双眼鏡筒に関するものである。
【背景技術】
【０００２】
一般に、実体顕微鏡用双眼鏡筒において、光学像の上下方向の反転による正立像の形成と、使用者（観察者）の瞳間距離に対応する接眼レンズの射出瞳間距離（以下、適宜「眼幅」という。）の調整とは、それぞれ不可欠の構成である。このため、従来より、双眼鏡筒として例えば、図７に示すような構成が用いられている（特許文献１参照）。
【０００３】
図７は、従来技術のガリレオ型の実体顕微鏡の光学系を示している。第１の接眼レンズ２５と第２の接眼レンズ２５′との作る瞳孔間距離（眼幅）Ｌを変化させることができる。そして、眼幅Ｌを変化させたとき、立体感を変化させない瞳孔間距離調整手段として、第１の正立プリズム２４と第２の正立プリズム２４’と、結像レンズ２３、２３’を用いる。
【０００４】
また、瞳孔間距離（眼幅）調整手段は、第１の接眼レンズ２５と第２の接眼レンズ２５′との作る眼幅Ｌを変化させたとき、第１の接眼レンズ２５と第２の接眼レンズ２５’との作る輻輳角θを同じ値に維持する。そして、光軸Ｏａ３、Ｏａ３’上で、これらの光軸に沿って進む光線を各接眼レンズ系の光軸Ｏａ４、Ｏａ４’に沿って進ませることができる。観察者は、肉眼Ｅ、Ｅ’で物体ＯＢＪの像を観察する。
【０００５】
【特許文献１】特開２００１−３１１８７６号公報
【発明の開示】
【発明が解決しようとする課題】
【０００６】
ガリレオ型の実体顕微鏡用双眼鏡筒は、多くの場合、出射側の光軸が平行である、即ち輻輳角を持たないため、使用時間が長くなると疲れやすくなり、また、慣れていない観察者には融像しにくいという現象を生ずる。これは、観察側には輻輳角を持たないにもかかわらず、物体側には内向角があるため、観察者は光軸が平行でありながら視差があるという不自然な像を観察させられるためである。
【０００７】
特許文献１に開示された構成では、このような不都合を克服すべく、ガリレオ型の実体顕微鏡用双眼鏡筒において、輻輳角を持たせた構成例である。
【０００８】
しかしながら、図７に示した構成では、眼幅調整の際に結像レンズを連動させる機構が必要となる。このため、構造が複雑となってしまうという問題を有している。
【０００９】
本発明は、上記に鑑みてなされたものであって、単純な構造で、輻輳角を有する実体顕微鏡用双眼鏡筒を提供することを目的とする。
【課題を解決するための手段】
【００１０】
上述した課題を解決し、目的を達成するために、本発明によれば、正立像を得るための一対のポロプリズム部と、眼幅を調整するための一対の眼幅調整プリズム部とを少なくとも備えるガリレオ型の実体顕微鏡用双眼鏡筒であって、ポロプリズム部は、入射面に垂直に光が入射される入射プリズムと、出射面から垂直に光が出射される出射プリズムと、入射プリズムと出射プリズムとの間の光路中に配置されている中間プリズムとを有し、眼幅調整プリズム部は、出射プリズムの出射光の光軸上に配置された第一眼幅調整プリズムと、第一眼幅調整プリズムの出射光の光軸に対し入射面が垂直になるよう配置された第二眼幅調整プリズムと、を有し、第一眼幅調整プリズムの出射光の光軸を回転軸として、第一眼幅調整プリズムと第二眼幅調整プリズムとが相対的に所定角度だけ回転して配置されることにより、輻輳角が０°とは異なる角度となるように形成されていることを特徴とするガリレオ型の実体顕微鏡用双眼鏡筒を提供できる。
【００１１】
また、本発明の好ましい態様によれば、所定の鏡筒傾斜角度を得られるように、入射プリズムは、入射プリズムの出射光の光軸を軸にして鏡筒傾斜角度に応じて回転させて配置され、さらに、出射プリズムは、出射プリズムへの入射光の光軸を軸にして入射プリズムの回転方向とは反対の方向に回転させて配置されていることが好ましい。
【００１２】
また、本発明の好ましい態様によれば、第一眼幅調整プリズムと第二眼幅調整プリズムとの相対的な回転に応じて生ずる像の回転を補正するように、入射プリズムと出射プリズムとの少なくとも一方のプリズムは、中間プリズムに対して回転した位置に設けられていることが好ましい。
【００１３】
また、本発明の好ましい態様によれば、第一眼幅調整プリズムと第二眼幅調整プリズムとは相対的に回転可能に構成され、第一眼幅調整プリズムと第二眼幅調整プリズムとの少なくともいずれか一方のプリズムを回転させることで、輻輳角を所望の値に調整できることが好ましい。
【００１４】
また、本発明の好ましい態様によれば、第一眼幅調整プリズムと第二眼幅調整プリズムとの少なくともいずれか一方のプリズムの回転動作に応じて生ずる像の回転を補正するように、入射プリズムと出射プリズムとの少なくともいずれか一方のプリズムを回転動作に応じて連動して回転させる回転機構を有することが好ましい。
【発明の効果】
【００１６】
本発明に係る実体顕微鏡用双眼鏡筒は、単純な構造で、輻輳角を有するという効果を奏する。
【発明を実施するための最良の形態】
【００１７】
以下に、本発明に係る実体顕微鏡用双眼鏡筒の実施例を図面に基づいて詳細に説明する。なお、この実施例によりこの発明が限定されるものではない。
【実施例１】
【００１８】
図１は、本発明の実施例１に係る実体顕微鏡用双眼鏡筒１０３を備えるガリレオ型の実体顕微鏡１００の全体構成を示している。図２は、実体顕微鏡１００の側面図である。
【００１９】
物体ＯＢＪからの光は、一つの対物レンズ１０１を透過して、一対の結像光学系１０２ａ、１０２ｂに入射する。結像光学系１０２ａ、１０２ｂは、それぞれズーム光学系としての変倍機能を有している。また、結像光学系１０２ａ、１０２ｂは、例えば、それぞれ複数のレンズ素子Ｌ１ａ、Ｌ２ａ、Ｌ３ａ、Ｌ１ｂ、Ｌ２ｂ、Ｌ３ｂで構成されている。そして、結像光学系１０２ａ、１０２ｂは、対物レンズ１０１からの観察光を映像面に結像させる。
【００２０】
結像光学系１０２ａ、１０２ｂからの光は、それぞれ一対のポロプリズム部１０４ａ、１０４ｂと、一対の眼幅調整プリズム部１０５ａ、１０５ｂとに入射する。一対のポロプリズム部１０４ａ、１０４ｂと、一対の眼幅調整プリズム部１０５ａ、１０５ｂとは、双眼鏡筒１０３の筐体内に収納されている。
【００２１】
図３は、実体顕微鏡用双眼鏡筒１０３の筐体内の一対のポロプリズム部１０４ａと一対の眼幅調整プリズム部１０５ａとの斜視構成を示している。一対のポロプリズム部は、正立像を得るため光学系である。一対の眼幅調整プリズム部は、眼幅を調整するための光学系である。
【００２２】
なお、双眼で観察するための一対の光学系は、それぞれ同一の構成を有している。このため、以下、適宜、一対の光学系のうちの一方の光学系について説明し、他方の光学系について重複する説明は省略する。
【００２３】
ポロプリズム部１０４ａは、三角プリズムの入射面に垂直に光が入射される入射プリズム１１０ａと、三角プリズムの出射面から垂直に光が出射される出射プリズム１１２ａと、入射プリズム１１０ａと出射プリズム１１２ａとの間の光路中に配置されている中間プリズム１１１ａとを有している。
【００２４】
また、眼幅調整プリズム部１０５ａは、出射プリズム１１２ａの出射光の光軸ＡＸ３上に配置された第一眼幅調整プリズム１２０ａと、第一眼幅調整プリズム１２０ａの出射光の光軸ＡＸ４に対し入射面が垂直になるよう配置された第二眼幅調整プリズム１２１ａとを有している。
【００２５】
そして、ポロプリズム部１０４ａと眼幅調整プリズム部１０５ａとを構成する光学素子の反射面のうちのいずれか一つの反射面は、輻輳角θが０°とは異なる角度となるように形成されている。
【００２６】
また、第一眼幅調整プリズム１２０ａの出射光の光軸ＡＸ４を回転軸として、第一眼幅調整プリズム１２０ａと第二眼幅調整プリズム１２１ａとが相対的に所定角度だけ回転して配置されることにより、輻輳角が０°と異なるように構成されている。詳細な構成は後述する。なお、「光軸」とは、例えば、結像光学系１０２ａ、１０２ｂの光軸をいう。即ち、例えば、結像光学系１０２ａの光軸上を進行した光線が、実体顕微鏡用双眼鏡筒１０３に入射して進行するときを考える。
【００２７】
入射プリズム１１０ａは、結像光学系１０２ａからの光束が入射面から垂直に入射される。入射プリズム１１０ａは、入射光を直角に折り曲げて、中間プリズム１１１ａの方向へ射出する。また、出射プリズム１１２ａは、中間プリズム１１１ａからの光束を直角に折り曲げ、出射面から垂直に出射させる。
【００２８】
そして、図４に示すように、入射プリズム１１０ａは、その出射光軸を軸に所定角度αだけ回転させて配置されている。また、出射プリズム１１２ａは、その入射光軸を軸に、入射プリズム１１０ａの回転方向と逆向きに角度βだけ回転させて配置されている。そして、入射プリズム１１０ａと出射プリズム１１２ａとは、それぞれ中間プリズム１１１ａに固定されている。
【００２９】
第一眼幅調整プリズム１２０ａは、ポロプリズム部１０４ａの出射プリズム１１２ａに対応させて配置されている。第一眼幅調整プリズム１２０ａは、出射プリズム１１２ａより出射される光束を直角に折り曲げる。第一眼幅調整プリズム１２０ａは、折り曲げた光束を出射面から垂直に出射させて、第二眼幅調整プリズム１２１ａへの入射面へと導いている。
【００３０】
第二眼幅調整プリズム１２１ａは、入射面を第一眼幅調整プリズム１２０ａからの出射光束の光軸ＡＸ４に垂直に、また、出射光束の光軸ＡＸ５ａが光軸ＡＸ３に対して光軸ＡＸ４を軸に角度θ傾いて出射されるよう配置されている。
【００３１】
また、出射プリズム１１２ａからの出射光軸ＡＸ３を中心とし、第一眼幅調整プリズム１２０ａと第二眼幅調整プリズム１２１ａを一体に回転させる。これにより、接眼レンズ１０６ａ（図２）の間隔ｌを可変にしている。
【００３２】
接眼レンズ１０６ａ（図２）は、第二眼幅調整プリズム１２１ａの出射光軸ＡＸ５ａと同軸上に配置されている。そして、観察者は、接眼レンズ１０６ａを介して、肉眼Ｅａにより映像面に結像された像を観察する。
【００３３】
本実施例の実体顕微鏡用双眼鏡筒１０３では、対物レンズ１０１からの観察光が結像光学系１０２ａに入射される。結像光学系１０２ａからの出射光が、入射プリズム１１０ａ、中間プリズム１１１ａ、出射プリズム１１２ａから構成されるポロプリズム部１０４ａに入射される。
【００３４】
ポロプリズム部１０４ａ内を光束が通過することにより、観察像の上下左右が反転され正立像に補正される。同時に、ポロプリズム部１０４ａからの出射光は、入射プリズム１１０ａと出射プリズム１１２ａのそれぞれの回転角αと回転角βに応じて、所定角度の傾きをもって出射される。
【００３５】
また、第一眼幅調整プリズム１２０ａと第二眼幅調整プリズム１２１ａを回転して、接眼レンズ１０６ａ（図２）の間隔ｌを可変することで観察者の眼幅に合わせた実体顕微鏡用双眼鏡筒が得られる。
【００３６】
このように、入射プリズム１１０ａと、中間プリズム１１１ａと、出射プリズム１１２ａとからなるポロプリズム部１０４ａにおいて、入射プリズム１１０ａは、その出射光軸を軸に所定角度αだけ回転されている。
【００３７】
また、出射プリズム１１２ａについても、その入射光軸を軸に入射プリズム１１０ａの回転方向と逆向きに同角度βだけ回転されている。そして、両プリズム１１０ａ、１１２ａは、それぞれ中間プリズム１１１ａに接着固定されている。
【００３８】
この時、入射プリズム１１０ａと出射プリズム１１２ａのそれぞれの回転角αと回転角βを、それぞれα＝γ＋Ａおよびβ＝γ−Ｂとする。さらに、第一眼幅調整プリズム１２０ａおよび第二眼幅調整プリズム１２１ａにおいて、第一眼幅調整プリズム１２０ａの出射光軸ＡＸ４を軸に第二眼幅調整プリズム１２１ａをθだけ回転させて固定する。これにより、第二眼幅調整プリズム１２１ａの出射光軸ＡＸ５ａが角度θだけ傾き出射される。ここで、角度γは、鏡筒傾斜角度に対応する。また、角度θ＝Ａ＋Ｂとなるよう構成する。
【００３９】
換言すると、所定の鏡筒傾斜角度γを得られるように、入射プリズム１１０ａは、入射プリズム１１０ａの出射光の光軸ＡＸ１を軸にして鏡筒傾斜角度γに応じて回転させて配置され、さらに、出射プリズム１１２ａは、出射プリズム１１２ａへの入射光の光軸ＡＸ２を軸にして入射プリズム１１０ａの回転方向とは反対の方向に回転させて配置されている。
【００４０】
さらに、第一眼幅調整プリズム１２０ａと第二眼幅調整プリズム１２１ａとの相対的な回転に応じて生ずる像の回転を補正するように、入射プリズム１１０ａと出射プリズム１１２ａと少なくとも一方のプリズムは、中間プリズム１１１ａに対して回転した位置に設けられている。
【００４１】
本実施例によれば、単純、簡単な構造で出射光軸に輻輳角をつけることができる。また、輻輳角をつけたことによる光軸に垂直な面内での像の回転を補正することができる。
【００４２】
さらに、構成部品として用いられる入射プリズム１１０ａ、出射プリズム１１２ａ、第一眼幅調整プリズム１２０ａおよび第二眼幅調整プリズム１２１ａは、特殊な形状のものではない。このため、一般的な三角プリズムを用いることができるので、安価に製造できる。また、図示はしないが、これらのプリズムの反射面をミラーに置き換えることも可能である。
【００４３】
また、入射プリズム１１０ａ、出射プリズム１１２ａ、第一眼幅調整プリズム１２０ａおよび第二眼幅調整プリズム１２１ａでの反射角を、例えばすべて４５°に設定できる。このため、面精度による像の劣化も少なく良好な観察像を得られる。
【００４４】
（変形例）
次に、本実施例の変形例について説明する。なお、変形例において、本実施例と重複する部分の説明は、省略する。例えば、第一眼幅調整プリズム１２０ａと第二眼幅調整プリズム１２１ａの固定方法について、光軸に対して角度θだけ回転させて接合することができる。
【００４５】
また、他の変形例として、第一眼幅調整プリズム１２０ａと第二眼幅調整プリズム１２１ａを一体のプリズムとして構成することもできる。いずれの変形例においても、本実施例と同様の作用、効果を奏する。
【実施例２】
【００４６】
図５は、本発明の実施例２に係る実体顕微鏡用双眼鏡筒の構成の一部を示している。実施例１と同一の部分には同一の符号を付し、重複する説明は省略する。本実施例は、観察者が輻輳角θを任意に変更できるように構成されている。
【００４７】
第一眼幅調整プリズム１２０ａと第二眼幅調整プリズム１２１ａとは相対的に回転可能に構成され、第一眼幅調整プリズム１２０ａと第二眼幅調整プリズム１２１ａとの少なくともいずれか一方のプリズムを回転させることで、輻輳角θを所望の値に調整できる。
【００４８】
第一眼幅調整プリズム１２０ａは、出射プリズム１１２ａより出射される光束を直角に折り曲げる。第一眼幅調整プリズム１２０ａは、折り曲げた光束を出射面から垂直に出射させることにより、第二眼幅調整プリズム１２１ａへの入射面へと導いている。第二眼幅調整プリズム１２１ａは、入射面を第一眼幅調整プリズム１２０ａからの出射光束の光軸ＡＸ４に垂直に、また、出射光束の光軸ＡＸ５ａが光軸ＡＸ３に対して光軸ＡＸ４を軸に回転可能となるように配置されている。
【００４９】
第一眼幅調整プリズム１２０ａおよび第二眼幅調整プリズム１２１ａにおいて、第一眼幅調整プリズム１２０ａの出射光軸ＡＸ４を軸に第二眼幅調整プリズム１２１ａを回転する。この回転は、回転機構部２０１により行われる。これにより、第二眼幅調整プリズム１２１ａの出射光軸ＡＸ５ａが任意の角度だけ傾いて出射される。
【００５０】
本実施例によれば、単純、簡単な構造で出射光軸に任意の輻輳角つけることができる。また、輻輳角をつけたことによる光軸に垂直な面内での像の回転を補正することができる。
【実施例３】
【００５１】
図６は、本発明の実施例３に係る実体顕微鏡用双眼鏡筒の構成の一部を示している。実施例１と同一の部分には同一の符号を付し、重複する説明は省略する。本実施例では、輻輳角θを変化させたときの像の光軸を軸とした回転を補正するよう構成されている。
【００５２】
本実施例は、第一眼幅調整プリズム１２０ａと第二眼幅調整プリズム１２１ａとの少なくともいずれか一方のプリズムの回転動作に応じて生ずる像の回転を補正するように、入射プリズム１１０ａと出射プリズム１１２ａとの少なくともいずれか一方のプリズムを回転動作に応じて連動して回転させる連動機構部３０１（回転機構）を有している。
【００５３】
具体的には、図６に示すように、中間プリズム１１１ａについては、その入射光軸を軸に回転可能に配置されている。出射プリズム１１２ａは、中間プリズム１１１ａの出射光軸上に出射プリズム１１２ａの入射光軸が一致し、かつその入射光軸を軸に回転可能に構成されている。
【００５４】
また、第二眼幅調整プリズム１２１ａと中間プリズム１１１ａ、出射プリズム１１２ａは互いに連動機構部３０１により連動するように配置されている。
【００５５】
本実施例では、第二眼幅調整プリズム１２１ａの出射光軸ＡＸ５ａが任意の角度θだけ回転したとき、中間プリズム１１１ａおよび出射プリズム１１２ａがθ＝Ａ＋Ｂの関係となるように、連動機構部３０１により連動する。連動機構部３０１は、例えば、歯車により第二眼幅調整プリズム１２１ａの動き（回転角度）応じた動きを中間プリズム１１１ａへ伝達するように構成されている。
【００５６】
入射プリズム１１０ａは、その出射光軸を軸に所定角度α＝γ＋Ａだけ回転する。出射プリズム１１２ａは、その入射光軸を軸に入射プリズム１１０ａの回転方向と逆向きに角度β＝γ−Ｂだけ回転する。ここで、角度γは、鏡筒傾斜角度に対応する。
【００５７】
これにより、入射プリズム１１０ａと中間プリズム１１１ａと出射プリズム１１２ａとを通過する光束の像が、角度θだけ回転して出射され、第一眼幅調整プリズム１２０ａに入射する。第一眼幅調整プリズム１２０ａと第二眼幅調整プリズム１２１ａとが光軸ＡＸ４を軸に角度θだけ回転して相対している。このため、観察される像は、回転角度θと逆に角度θだけ回転する。
【００５８】
本実施例では、単純、簡単な構造で出射光軸に任意の輻輳角つけることができる。また、輻輳角をつけたことによる光軸に垂直な面内での像の回転を補正することができる。
【００５９】
さらに、構成部品として用いられる入射プリズム１１０ａ、出射プリズム１１２ａ、第一眼幅調整プリズム１２０ａおよび第二眼幅調整プリズム１２１ａは、特殊な形状のものでなく、一般的な三角プリズムを用いることができる。このため、実体顕微鏡用双眼鏡筒を安価に製造できる。
【００６０】
さらに、入射プリズム１１０ａ、出射プリズム１１２ａ、第一眼幅調整プリズム１２０ａおよび第二眼幅調整プリズム１２１ａでの反射角を、例えばすべて４５°にできる。このため、面精度による像の劣化も少なく良好な観察像を得られる。
【００６１】
以上説明したように、本発明によれば、簡単名構成で、ガリレオ型の実体顕微鏡の長所を維持したまま、顕微鏡観察時に視差に応じた輻輳角をつけることができる。また、本発明は、その趣旨を逸脱しない範囲で種々の変形例をとることができる。
【産業上の利用可能性】
【００６２】
以上のように、本発明に実体顕微鏡用双眼鏡筒は、ガリレオ型の実体顕微鏡に有用であり、特に、輻輳角を有する実体顕微鏡に適している。
【図面の簡単な説明】
【００６３】
【図１】本発明の実施例１に係る実体顕微鏡用双眼鏡筒を備える実体顕微鏡の概略構成を示す図である。
【図２】実施例１に係る実体顕微鏡用双眼鏡筒を備える実体顕微鏡の概略構成を示す他の図である。
【図３】実施例１に係る実体顕微鏡用双眼鏡筒の斜視構成を示す図である。
【図４】実施例１に係る実体顕微鏡用双眼鏡筒の斜視構成を示す他の図である。
【図５】実施例２に係る実体顕微鏡用双眼鏡筒の斜視構成を示す図である。
【図６】実施例３に係る実体顕微鏡用双眼鏡筒の斜視構成を示す図である。
【図７】従来技術の実体顕微鏡用双眼鏡筒の概略構成を示す図である。
【符号の説明】
【００６４】
１００  実体顕微鏡
１０１  対物レンズ
１０２ａ、１０２ｂ  結像光学系
１０３  実体顕微鏡用双眼鏡筒
１０４ａ、１０４ｂ  ポロプリズム部
１０５ａ、１０５ｂ  輻輳調整プリズム部
１０６ａ  接眼レンズ
１１０ａ、１１０ｂ  入射プリズム
１１１ａ、１１１ｂ  中間プリズム
１１２ａ、１１２ｂ  射出プリズム
１２０ａ、１２０ｂ  第一眼幅調整プリズム
１２１ａ、１２１ｂ  第二眼幅調整プリズム
２０１  回転機構部
３０１  連動機構部
２２  対物レンズ
２３、２３’  結像レンズ
２４、２４’  正立プリズム
ｌ  眼幅
θ  輻輳角
ＡＸ０、ＡＸ１、ＡＸ２、ＡＸ３、ＡＸ４、ＡＸ５ａ、ＡＸ５ｂ  光軸
Ｅａ、Ｅ、Ｅ’  観察者の肉眼
Ｌ１ａ、Ｌ１ｂ、Ｌ２ａ、Ｌ２ｂ、Ｌ３ａ、Ｌ３ｂ  レンズ素子
ＯＢＪ  物体
【図１】
0004847095.tif 000002
【図２】
0004847095.tif 000003
【図３】
0004847095.tif 000004
【図４】
0004847095.tif 000005
【図５】
0004847095.tif 000006
【図６】
0004847095.tif 000007
【図７】
0004847095.tif 000008